(57)【要約】【課題】高さの異なる種々の樹脂製キャップを瓶の口から安全に取り外すことが可能な樹脂製キャップの取外し具を提供する。【解決手段】瓶口２ａに取り付けられた樹脂製キャップ３を取り外すための樹脂製キャップの取外し具１は、取手部５と、取手部５の先端側部分に回動可能に取り付けられ、樹脂製キャップ３の外周側から樹脂製キャップ３の底面に係合するフック部６と、取手部５の先端側部分の、フック部６よりも取手部５の基端側に回動可能に取り付けられ、樹脂製キャップ３の内周側に挿入される挿入部７とを備えている。取外し具１で瓶口２ａから樹脂製キャップ３を取り外すときには、挿入部７を樹脂製キャップ３の内周側に挿入し、かつ、フック部６を樹脂製キャップ３の底面に係合させた状態で、取手部５の、挿入部７よりも基端側を掴んで、取手部５を瓶２に近づく方向へ回動させる。【選択図】図２
2012229035.tif 000002
【特許請求の範囲】
【請求項１】
瓶の口に取り付けられた樹脂製キャップを取り外すための樹脂製キャップの取外し具において、
取手部と、
前記取手部の先端側部分に回動可能に取り付けられ、前記樹脂製キャップの外周側から前記樹脂製キャップの底面側に係合するフック部と、
前記取手部の先端側部分の、前記フック部よりも前記取手部の基端側に回動可能に取り付けられ、前記樹脂製キャップの内周側に挿入される挿入部と、を備え、
前記挿入部を前記樹脂製キャップの内周側に挿入し、かつ、前記フック部を前記樹脂製キャップの底面側に係合させた状態で、前記取手部の、前記挿入部よりも基端側を掴んで、前記取手部を前記瓶に近づく方向に回動させて前記瓶の口から前記樹脂製キャップを取り外すことを特徴とする樹脂製キャップの取外し具。
【請求項２】
前記挿入部の先端は、前記樹脂製キャップの取外し時に前記樹脂製キャップの内周面に突き刺さるように尖っていることを特徴とする請求項１記載の樹脂製キャップの取外し具。
【請求項３】
前記挿入部は、平板状に形成され、
前記挿入部には、前記樹脂製キャップの上端に当接する当接部が形成または固定され、
前記当接部は、前記挿入部の厚さ方向の両側へ突出していることを特徴とする請求項１または２記載の樹脂製キャップの取外し具。
【請求項４】
前記取手部に固定され前記フック部を回動可能に支持する第１支持ピンと、前記取手部に固定され前記挿入部を回動可能に支持する第２支持ピンとを備え、
前記フック部の基端側には、前記第１支持ピンが挿通される第１挿通孔が形成され、
前記挿入部の基端側には、前記第２支持ピンが挿通される第２挿通孔が形成され、
前記第１挿通孔の内径は、前記第１支持ピンの外径よりも大きく、かつ、前記第２挿通孔の内径は、前記第２支持ピンの外径よりも大きくなっていることを特徴とする請求項１から３のいずれかに記載の樹脂製キャップの取外し具。
【請求項５】
前記フック部の先端側部分は、略円弧状に形成され、
略円弧状に形成される前記フック部の先端側部分の内周側には、刃が形成されていることを特徴とする請求項１から４のいずれかに記載の樹脂製キャップの取外し具。
【請求項６】
ペットボトルのキャップを外した後に残る樹脂製リングを前記ペットボトルから取り外すための樹脂製リングの取外し具において、
取手部と、
前記取手部の先端側部分に回動可能に取り付けられ、前記樹脂製リングの外周側から前記樹脂製リングの底面側に係合するフック部と、
前記取手部の先端側部分の、前記フック部よりも前記取手部の基端側に回動可能に取り付けられ、前記ペットボトルの内周側に挿入される挿入部と、を備え、
前記挿入部を前記ペットボトルの内周側に挿入し、かつ、前記フック部を前記樹脂製リングの底面側に係合させた状態で、前記取手部の、前記挿入部よりも基端側を掴んで、前記取手部を前記ペットボトルに近づく方向に回動させて前記ペットボトルから前記樹脂製リングを取り外すことを特徴とする樹脂製リングの取外し具。
【発明の詳細な説明】
【技術分野】
【０００１】
本発明は、瓶の口に取り付けられた樹脂製キャップを取り外すための樹脂製キャップの取外し具に関する。また、本発明は、ペットボトルのキャップを外した後に残る樹脂製リングをペットボトルから取り外すための樹脂製リングの取外し具に関する。
【背景技術】
【０００２】
従来、瓶の口に取り付けられた樹脂製のキャップ（樹脂製キャップ）を取り外すためのキャップ外し器具が知られている（たとえば、特許文献１参照）。特許文献１に記載のキャップ外し器具は、すべり止め部が形成された把手と、把手の先端側に回転可能に取り付けられた爪とを備えている。このキャップ外し器具では、キャップに爪を引っ掛けて、すべり止め部を支点にして爪を引き上げることで、瓶の口からキャップが取り外される。そのため、このキャップ外し器具では、爪の長さによって、取り外せるキャップの高さが決まってしまい、高さの異なる種々のキャップを瓶の口から取り外すことができない。
【０００３】
そこで、従来、高さの異なる種々のキャップを瓶の口から取り外すことが可能なキャップ外し器具が提案されている（たとえば、特許文献２参照）。特許文献２に記載のキャップ外し器具では、本体に対して爪付きフックがスライド可能となっており、本体に対する爪付きフックの位置を調整することで、高さの異なる種々のキャップを瓶の口から取り外すことが可能となっている。なお、このキャップ外し器具では、爪付きフックをキャップに引っ掛けた状態で、本体に繋がる柄を握って上側へ持ち上げることで、瓶の口からキャップが取り外される。
【０００４】
また、従来、ペットボトルのキャップを外した後に残る樹脂製のリング（樹脂製リング）を切断してペットボトルから取り外すための樹脂製リングの切断具が知られている（たとえば、特許文献３参照）。特許文献３に記載の切断具は、先端側に刃部が形成される切断具本体と、切断具本体に回動自在に取り付けられるフック部とを備えている。この切断具では、フック部をペットボトルの口に係止させて切断具本体を押し下げることで、リングが切断される。
【先行技術文献】
【特許文献】
【０００５】
【特許文献１】特開平１０−３１０１９９号公報
【特許文献２】特開２００４−１２３１７７号公報
【特許文献３】実用新案登録第３０６９９４２号公報
【発明の概要】
【発明が解決しようとする課題】
【０００６】
上述のように、特許文献２に記載のキャップ外し器具では、高さの異なる種々のキャップを瓶の口から取り外すことが可能である。しかしながら、このキャップ外し器具では、爪付きフックをキャップに引っ掛けた状態で、柄を握って上側へ持ち上げることで、瓶の口からキャップが取り外されるため、キャップが瓶の口から勢い良く外れて、爪付きフック等で使用者がけがをするおそれがある。
【０００７】
また、上述のように、特許文献３には、ペットボトルに残った樹脂製リングを切断してペットボトルから取り外す切断具が開示されている。しかしながら、特許文献３には、樹脂製リングを切断せずにペットボトルから取り外せる取外し具は、開示されていない。
【０００８】
そこで、本発明の課題は、高さの異なる種々の樹脂製キャップを瓶の口から安全に取り外すことが可能な樹脂製キャップの取外し具を提供することにある。また、本発明の課題は、樹脂製リングを切断せずにペットボトルから取り外すことが可能な樹脂製リングの取外し具を提供することにある。
【課題を解決するための手段】
【０００９】
上記の課題を解決するため、本発明の樹脂製キャップの取外し具は、瓶の口に取り付けられた樹脂製キャップを取り外すための樹脂製キャップの取外し具において、取手部と、取手部の先端側部分に回動可能に取り付けられ、樹脂製キャップの外周側から樹脂製キャップの底面側に係合するフック部と、取手部の先端側部分の、フック部よりも取手部の基端側に回動可能に取り付けられ、樹脂製キャップの内周側に挿入される挿入部と、を備え、挿入部を樹脂製キャップの内周側に挿入し、かつ、フック部を樹脂製キャップの底面側に係合させた状態で、取手部の、挿入部よりも基端側を掴んで、取手部を瓶に近づく方向に回動させて瓶の口から樹脂製キャップを取り外すことを特徴とする。
【００１０】
本発明の樹脂製キャップの取外し具は、樹脂製キャップの外周側から樹脂製キャップの底面側に係合するフック部を備えており、このフック部は、取手部の先端側部分に回動可能に取り付けられている。そのため、瓶に対する取手部の角度を変えることで、高さの異なる種々の樹脂製キャップの底面側にフック部を係合させることが可能になる。また、本発明の樹脂製キャップの取外し具は、樹脂製キャップの内周側に挿入される挿入部を備えており、この挿入部は、取手部の先端側部分の、フック部よりも取手部の基端側に回動可能に取り付けられている。そのため、瓶に対する取手部の角度にかかわらず、樹脂製キャップの内周側を挿入部で押さえることが可能になり、挿入部を樹脂製キャップの内周側に挿入し、かつ、フック部を樹脂製キャップの底面側に係合させた状態で、取手部を瓶に近づく方向に回動させれば、瓶の口から樹脂製キャップを取り外すことが可能になる。したがって、本発明では、高さの異なる種々の樹脂製キャップを瓶の口から取り外すことが可能になる。
【００１１】
また、本発明では、取手部の、挿入部よりも基端側を掴んで、取手部を瓶に近づく方向に回動させて瓶の口から樹脂製キャップを取り外すため、取手部を瓶から離れる方向へ回動させて樹脂製キャップを取り外す場合と比較して、樹脂製キャップが瓶の口から勢い良く外れにくくなる。したがって、本発明では、樹脂製キャップを瓶の口から取り外す際に、フック部等で使用者がけがをするおそれを低減することが可能になり、瓶の口から樹脂製キャップを安全に取り外すことが可能になる。
【００１２】
本発明において、挿入部の先端は、樹脂製キャップの取外し時に樹脂製キャップの内周面に突き刺さるように尖っていることが好ましい。このように構成すると、樹脂製キャップに対する取外し具の滑りを防止することが可能になる。したがって、取外し具によって、樹脂製キャップを瓶の口から容易に取り外すことが可能になる。
【００１３】
本発明において、挿入部は、平板状に形成され、挿入部には、樹脂製キャップの上端に当接する当接部が形成または固定され、当接部は、挿入部の厚さ方向の両側へ突出していることが好ましい。このように構成すると、樹脂製キャップを取り外す際に、当接部を支点にして、取外し具を回動させることができる。したがって、樹脂製キャップを取り外す際に、取外し具を安定させることが可能になり、その結果、取外し具によって、樹脂製キャップを瓶の口から容易に取り外すことが可能になる。
【００１４】
本発明において、樹脂製キャップの取外し具は、取手部に固定されフック部を回動可能に支持する第１支持ピンと、取手部に固定され挿入部を回動可能に支持する第２支持ピンとを備え、フック部の基端側には、第１支持ピンが挿通される第１挿通孔が形成され、挿入部の基端側には、第２支持ピンが挿通される第２挿通孔が形成され、第１挿通孔の内径は、第１支持ピンの外径よりも大きく、かつ、第２挿通孔の内径は、第２支持ピンの外径よりも大きくなっていることが好ましい。このように構成すると、第１挿通孔と第１支持ピンとの間の隙間、および、第２挿通孔と第２支持ピンとの間の隙間を利用して、フック部と挿入部との相対位置を微調整することが可能になり、形状の異なる種々の樹脂製キャップの底面側にフック部を係合させつつ、形状の異なる種々の樹脂製キャップの内周側を挿入部で押さえることが可能になる。したがって、形状の異なる種々の樹脂製キャップを瓶の口から容易に取り外すことが可能になる。
【００１５】
本発明において、フック部の先端側部分は、略円弧状に形成され、略円弧状に形成されるフック部の先端側部分の内周側には、刃が形成されていることが好ましい。このように構成すると、フック部に形成される刃を利用して、たとえば、瓶の外周面に巻き付けられた樹脂製のラベルを切断して、瓶から取り外すことが可能になる。
【００１６】
また、上記の課題を解決するため、本発明の樹脂製リングの取外し具は、ペットボトルのキャップを外した後に残る樹脂製リングをペットボトルから取り外すための樹脂製リングの取外し具において、取手部と、取手部の先端側部分に回動可能に取り付けられ、樹脂製リングの外周側から樹脂製リングの底面側に係合するフック部と、取手部の先端側部分の、フック部よりも取手部の基端側に回動可能に取り付けられ、ペットボトルの内周側に挿入される挿入部と、を備え、挿入部をペットボトルの内周側に挿入し、かつ、フック部を樹脂製リングの底面側に係合させた状態で、取手部の、挿入部よりも基端側を掴んで、取手部をペットボトルに近づく方向に回動させてペットボトルから樹脂製リングを取り外すことを特徴とする。
【００１７】
本発明の樹脂製リングの取外し具は、樹脂製リングの外周側から樹脂製リングの底面側に係合するフック部を備えている。そのため、本発明では、フック部を利用して、樹脂製リングを切断せずにペットボトルから取り外すことが可能になる。また、本発明では、フック部は、取手部の先端側部分に回動可能に取り付けられている。そのため、ペットボトルに対する取手部の角度を変えることで、ペットボトルの口から樹脂製リングまでの距離が異なる種々のペットボトルの樹脂製リングの底面側にフック部を係合させることが可能になる。したがって、本発明では、ペットボトルの口から樹脂製リングまでの距離が異なる種々のペットボトルから樹脂製リングを取り外すことが可能になる。
【００１８】
また、本発明では、取手部の、挿入部よりも基端側を掴んで、取手部をペットボトルに近づく方向に回動させてペットボトルから樹脂製リングを取り外すため、取手部をペットボトルから離れる方向へ回動させて樹脂製リングを取り外す場合と比較して、樹脂製リングがペットボトルから勢い良く外れにくくなる。したがって、本発明では、樹脂製リングをペットボトルから取り外す際に、フック部等で使用者がけがをするおそれを低減することが可能になり、ペットボトルから樹脂製リングを安全に取り外すことが可能になる。
【発明の効果】
【００１９】
以上のように、本発明の樹脂製キャップの取外し具を使用すれば、高さの異なる種々の樹脂製キャップを瓶の口から安全に取り外すことが可能になる。また、本発明の樹脂製リングの取外し具を使用すれば、樹脂製リングを切断せずにペットボトルから取り外すことが可能になる。
【図面の簡単な説明】
【００２０】
【図１】本発明の実施の形態にかかる樹脂製キャップの取外し具を示す図であり、（Ａ）は正面図、（Ｂ）は平面図、（Ｃ）は側面図である。
【図２】図１に示す樹脂製キャップの取外し具を樹脂製キャップにセットした状態を示す断面図である。
【図３】図１に示す樹脂製キャップの取外し具を使用して樹脂製キャップを取り外すときの状態を説明するための図である。
【図４】図１に示す樹脂製キャップの取外し具の効果を説明するための図である。
【図５】本発明の他の実施の形態にかかる挿入部を説明するための図である。
【図６】図１に示す取外し具でペットボトルの樹脂製リングを取り外すときの状態を示す図である。
【発明を実施するための形態】
【００２１】
以下、図面を参照しながら、本発明の実施の形態を説明する。
【００２２】
（樹脂製キャップの取外し具の構成）
図１は、本発明の実施の形態にかかる樹脂製キャップの取外し具１を示す図であり、（Ａ）は正面図、（Ｂ）は平面図、（Ｃ）は側面図である。図２は、図１に示す樹脂製キャップの取外し具１を樹脂製キャップ３にセットした状態を示す断面図である。
【００２３】
本形態の樹脂製キャップの取外し具１（以下、「取外し具１」とする）は、ガラス製の瓶２の口２ａ（以下、「瓶口２ａ」とする）に取り付けられた樹脂製キャップ３（以下、「キャップ３」とする）を取り外すための道具である。取外し具１は、図１に示すように、取手部５と、キャップ３の外周側からキャップ３の底面に係合するフック部６と、キャップ３の内周側へ挿入される挿入部７とを備えている。
【００２４】
キャップ３は、図２に示すように、略円筒状に形成されている。このキャップ３は、瓶口２ａの外周側に配置される略円筒状の外筒部３ａと、瓶口２ａの内周側に配置される略円筒状の内筒部３ｂとを備えている。外筒部３ａの内周面は、瓶口２ａの外周面に密着し、内筒部３ｂの外周面は、瓶口２ａの内周面に密着している。外筒部３ａと内筒部３ｂとは、キャップ３の上端側で繋がっている。キャップ３の上端側には、プルタブ（図示省略）が取り付けられていたプルタブ取付部３ｃが形成されている。プルタブ取付部３ｃには、プルタブが取り外されて形成された開口部３ｄが形成されている。
【００２５】
取手部５は、たとえば、扁平な細長い直方体状に形成されている。本形態の取手部５は、細長い略長方形の２枚の平板状部材９と、２枚の平板状部材９の間に挟まれた細長い略長方形の平板状部材１０とから構成されている。平板状部材９、１０は、たとえば、鋼板等の金属製の薄板である。２枚の平板状部材９と平板状部材１０とは、互いに密着しており、溶接、カシメまたはネジ等に締結手段によって一体化されている。なお、取手部５は、金属材料や樹脂材料によって一体で形成されても良い。
【００２６】
平板状部材９の先端側（図１（Ａ）の左端側）は、平板状部材１０の先端（図１（Ａ）の左端）よりも突出しており、２枚の平板状部材９の先端側部分の間には、隙間が形成されている。また、取手部５の幅方向（図１（Ａ）の上下方向）における平板状部材９の先端側部分の一端側（図１（Ａ）の上端側）は、他端側（図１（Ａ）の下端側）よりも突出している。
【００２７】
平板状部材１０の後端側は、平板状部材９の後端よりも突出している。平板状部材１０の後端側には、缶ビールや缶ジュース等のプルタブに係合してプルタブを開けるための係合爪部１０ａが形成されている。係合爪部１０ａは、平板状部材１０の後端側を略円弧状となる曲面状に折り曲げることで形成されている。係合爪部１０ａの先端１０ｂは、使用者の安全性を考えて、略円弧状に形成されている。また、プルタブに係合しやすくするため、係合爪部１０ａの厚さは、先端１０ｂに向かうにしたがって薄くなっている。
【００２８】
フック部６は、鋼板等の金属の薄板によって平板状に形成されている。また、フック部６は、図１（Ａ）に示すように、その厚さ方向から見たときの形状が略Ｊ形状となるように形成されており、フック部６の先端側部分は、略円弧状に形成されている。フック部６の先端側部分は、キャップ３の外筒部３ａの底面に係合する係合部６ａとなっている。略円弧状に形成される係合部６ａの内周側には、たとえば、瓶２の外周面に巻き付けられた樹脂製のラベル（図示省略）を切断して取り外すための刃６ｂが形成されている。係合部６ａの幅は、その先端に向かうにしたがって狭くなっている。
【００２９】
フック部６の基端側は、２枚の平板状部材９の先端側部分の間に配置されており、フック部６は、取手部５の先端側部分に回動可能に取り付けられている。本形態では、２枚の平板状部材９の先端側部分に、第１支持ピン１１の両端側のそれぞれが固定されており、フック部６の基端側は、第１支持ピン１１に回動可能に支持されている。
【００３０】
第１支持ピン１１は、取手部５の幅方向の一端側に固定されている。フック部６には、第１支持ピン１１が挿通される第１挿通孔６ｃが形成されている。第１挿通孔６ｃの内径は、第１支持ピン１１の外径よりも大きくなっている。たとえば、第１挿通孔６ｃの内径は、４ｍｍであり、第１支持ピン１１の外径は、３ｍｍである。
【００３１】
挿入部７は、鋼板等の金属の薄板によって平板状に形成されている。また、挿入部７は、図１（Ａ）に示すように、その厚さ方向から見たときの形状が略Ｊ形状となるように形成されている。挿入部７の厚さは、フック部６の厚さと等しくなっている。また、挿入部７の長さは、フック部６の長さよりも短くなっている。挿入部７の先端７ａは、キャップ３の取外し時に、キャップ３の内筒部３ｂの内周面に突き刺さるように尖っている。
【００３２】
挿入部７には、キャップ３の上端に当接する当接部１２が固定されている。当接部１２は、平板状に形成される挿入部７の厚さ方向の両側へ突出するように、挿入部７の中間位置に固定されている。なお、当接部１２は、図１に示すように、たとえば、六角柱状に形成されているが、四角柱状や五角柱状等の他の多角柱状に形成されても良いし、円柱状または楕円柱状に形成されても良い。また、当接部１２は、挿入部７と一体で形成されても良い。
【００３３】
挿入部７の基端側は、２枚の平板状部材９の先端側部分の間に配置されており、挿入部７は、取手部５の先端側部分に回動可能に取り付けられている。具体的には、図１（Ａ）に示すように、挿入部７は、取手部５の先端側部分の、フック部６よりも取手部５の基端側に回動可能に取り付けられている。本形態では、２枚の平板状部材９の先端側部分の、フック部６よりも取手部５の基端側に、第２支持ピン１３の両端側のそれぞれが固定されており、挿入部７の基端側は、第２支持ピン１３に回動可能に支持されている。また、本形態では、フック部６の係合部６ａの先端と挿入部７の先端７ａとが向き合うように、フック部６および挿入部７が配置されている。
【００３４】
第２支持ピン１３は、取手部５の幅方向の他端側に固定されている。挿入部７には、第２支持ピン１３が挿通される第２挿通孔７ｃが形成されている。第２挿通孔７ｃの内径は、第２支持ピン１３の外径よりも大きくなっている。たとえば、第２挿通孔７ｃの内径は、４ｍｍであり、第２支持ピン１３の外径は、３ｍｍである。
【００３５】
なお、取外し具１は、フック部６と挿入部７とが近づく方向へフック部６および挿入部７を付勢するネジリコイルバネ等の付勢部材を備えていても良い。
【００３６】
（樹脂製キャップの取外し具の使用方法）
図３は、図１に示す取外し具１を使用してキャップ３を取り外すときの状態を説明するための図である。
【００３７】
以上のように構成された取外し具１を使用して瓶口２ａからキャップ３を取り外すときには、まず、図２に示すように、当接部１２がキャップ３の上端に当接するまで、キャップ３の開口部３ｄから内筒部３ｂの内周側に挿入部７を挿入し、また、フック部６の係合部６ａをキャップ３の外筒部３ａの底面に係合させる。この状態で、取手部５の、挿入部７よりも基端側を掴んで、取手部５を瓶２に近づく方向（図２、図３の時計回りの方向）に回動させる。
【００３８】
取手部５を回動させると、取外し具１は、当接部１２を支点にして回動し、図３（Ａ）に示すように、挿入部７の先端７ａが内筒部３ｂの内周面に突き刺ささり、係合部６ａが外筒部３ａを持ち上げる。また、取手部５をさらに回動させると、取外し具１は、当接部１２を支点にして回動して、図３（Ｂ）に示すように、挿入部７とフック部６とによって、キャップ３が持ち上げられ、瓶口２ａからキャップ３が外れる。
【００３９】
（本形態の主な効果）
以上説明したように、本形態の取外し具１では、キャップ３の外周側からキャップ３の底面に係合するフック部６が取手部５の先端側部分に回動可能に取り付けられている。そのため、瓶２に対する取手部５の角度を変えることで、高さの異なる種々のキャップ３の底面にフック部６を係合させることができる。たとえば、図４（Ｂ）に示すように、瓶２に対して取手部５を立てれば、高さＨ１のキャップ３（図４（Ａ）参照）よりも高い高さＨ２のキャップ３の底面にフック部６を係合させることができ、また、図４（Ｃ）に示すように、瓶２に対して取手部５を寝かせれば、高さＨ１のキャップ３よりも低い高さＨ３のキャップ３の底面にフック部６を係合させることができる。
【００４０】
また、本形態では、キャップ３の内周側に挿入される挿入部７が、取手部５の先端側部分の、フック部６よりも取手部５の基端側に回動可能に取り付けられている。そのため、瓶２に対する取手部５の角度にかかわらず、キャップ３の内周側を挿入部７で押さえることができ、挿入部７をキャップ３の内周側に挿入し、かつ、フック部６をキャップ３の底面に係合させた状態で、取手部５を瓶２に近づく方向に回動させれば、キャップ３を取り外すことができる。したがって、本形態の取外し具１を用いれば、高さの異なる種々のキャップ３を瓶口２ａから取り外すことが可能になる。
【００４１】
本形態では、取手部５を瓶２に近づく方向に回動させれば、瓶口２ａからキャップ３を取り外せる。そのため、取手部５を瓶２から離れる方向へ回動させてキャップ３を瓶口２ａから取り外す場合と比較して、キャップ３が瓶口２ａから勢い良く外れにくくなる。したがって、本形態では、キャップ３を瓶口２ａから取り外す際に、フック部６等で使用者がけがをするおそれを低減することが可能になり、瓶口２ａからキャップ３を安全に取り外すことが可能になる。
【００４２】
本形態では、挿入部７の先端７ａは、キャップ３の取外し時にキャップ３の内周面に突き刺さるように尖っている。そのため、キャップ３に対する取外し具１の滑りを防止することができ、取外し具１によって、瓶口２ａからキャップ３を容易に取り外すことが可能になる。また、本形態では、キャップ３の上端に当接する当接部１２が挿入部７に固定されているため、当接部１２を支点にして、取外し具１を回動させることができる。したがって、本形態では、キャップ３を取り外す際に、取外し具１を安定させることが可能になり、取外し具１によって、瓶口２ａからキャップ３を容易に取り外すことが可能になる。
【００４３】
本形態では、フック部６の第１挿通孔６ｃの内径は、第１支持ピン１１の外径よりも大きくなっており、かつ、挿入部７の第２挿通孔７ｃの内径は、第２支持ピン１３の外径よりも大きくなっている。そのため、第１挿通孔６ｃと第１支持ピン１１との間の隙間、および、第２挿通孔７ｃと第２支持ピン１３との間の隙間を利用して、フック部６と挿入部７との相対位置を微調整することが可能になり、形状の異なる種々のキャップ３の底面にフック部６を係合させつつ、形状の異なる種々のキャップ３の内周側を挿入部７で押さえることが可能になる。したがって、本形態では、形状の異なる種々のキャップ３を瓶口２ａから容易に取り外すことが可能になる。
【００４４】
（他の実施の形態）
上述した形態では、挿入部７に当接部１２が固定されているが、挿入部７に当接部１２が固定されていなくても良い。この場合であっても、取外し具１を用いて、高さの異なる種々のキャップ３を瓶口２ａから取り外すことは可能である。
【００４５】
上述した形態では、挿入部７の先端７ａは、キャップ３の取外し時に、キャップ３の内筒部３ｂの内周面に突き刺さるように尖っているが、図５に示すように、挿入部７の先端７ａは、曲面状に形成されても良い。この場合には、挿入部７は、図５（Ａ）に示すように、先端７ａに向かうにしたがって、その幅が狭くなるように形成されても良いし、図５（Ｂ）に示すように、先端７ａに向かうにしたがって、その幅が広くなるように形成されても良い。また、挿入部７は、その幅が略一定になるように形成されても良い。
【００４６】
挿入部７の先端７ａが曲面状に形成されている場合には、キャップ３の取外し時に、挿入部７は、キャップ３の内筒部３ｂの内周面に沿って滑った後に、プルタブ取付部３ｃに当接して、キャップ３の内周側を押さえる。また、挿入部７の先端７ａが曲面状に形成されている場合には、挿入部７の先端７ａが尖っている場合よりも、挿入部７の長さを短くすることが好ましい。また、この場合には、挿入部７に当接部１２が固定されても良いし、図５に示すように、挿入部７に当接部１２が固定されなくても良い。挿入部７に当接部１２が固定されていない場合には、挿入部７は、図５（Ｂ）に示すように、先端７ａに向かうにしたがって、その幅が広くなるように形成されていることが好ましい。
【００４７】
上述した形態では、フック部６は、その厚さ方向から見たときの形状が略Ｊ形状となるように形成されているが、フック部６は、その厚さ方向から見たときの形状が略円弧状になるように形成されても良い。また、上述した形態では、フック部６の係合部６ａの内周側に刃６ｂが形成されているが、係合部６ａに刃６ｂが形成されていなくても良い。
【００４８】
上述した形態では、取外し具１は、瓶口２ａに取り付けられたキャップ３を取り外すための道具であるが、取外し具１を使用して、ペットボトルのキャップを外した後に残る樹脂製リングをペットボトルから取り外しても良い。すなわち、取外し具１は、図６に示すように、ペットボトル２２のキャップを外した後に残る樹脂製リング２３（以下、「リング２３」とする）をペットボトル２２から取り外すための道具であっても良い。この場合には、挿入部７をペットボトル２２の内周側に挿入し、かつ、フック部６をリング２３の底面に係合させた状態で、取手部５の、挿入部７よりも基端側を掴んで、取手部５をペットボトル２２に近づく方向に回動させてペットボトル２２からリング２３を取り外す。
【００４９】
このように、取外し具１を使用して、ペットボトル２２のリング２３を取り外す場合には、リング２３を切断せずにペットボトル２２から取り外すことが可能になる。また、ペットボトル２２に対する取手部５の角度を変えることで、ペットボトル２２の口（開口端、すなわち、図６の上端）からリング２３までの距離が異なる種々のペットボトル２２のリング２３の底面にフック部６を係合させることが可能になるため、ペットボトル２２の口からリング２３までの距離が異なる種々のペットボトル２２からリング２３を取り外すことが可能になる。
【００５０】
また、この場合には、取手部５の、挿入部７よりも基端側を掴んで、取手部５をペットボトル２２に近づく方向に回動させてリング２３をペットボトル２２から取り外すため、取手部５をペットボトル２２から離れる方向へ回動させてリング２３を取り外す場合と比較して、リング２３がペットボトル２２から勢い良く外れにくくなる。したがって、リング２３をペットボトル２２から取り外す際に、フック部６等で使用者がけがをするおそれを低減することが可能になり、ペットボトル２２からリング２３を安全に取り外すことが可能になる。
【符号の説明】
【００５１】
１  取外し具（樹脂製キャップの取外し具、樹脂製リングの取外し具）
２  瓶
２ａ  瓶口（瓶の口）
３  キャップ（樹脂製キャップ）
５  取手部
６  フック部
６ｂ  刃
６ｃ  第１挿通孔
７  挿入部
７ａ  挿入部の先端
７ｃ  第２挿通孔
１１  第１支持ピン
１２  当接部
１３  第２支持ピン
２２  ペットボトル
２３  リング（樹脂製リング）
【図１】
2012229035.tif 000003
【図２】
2012229035.tif 000004
【図３】
2012229035.tif 000005
【図４】
2012229035.tif 000006
【図５】
2012229035.tif 000007
【図６】
2012229035.tif 000008